(57)【要約】  窓用フィルムを窓枠に固定するための物品は、第１の末端部及び第２の末端部と、第１の末端部から第２の末端部まで延在する第１の取付け面を有する第１の部分と、第１の取付け面とは反対側で第１の部分から外向きに延在する接続部分と、第１の部分とは反対側で接続部分の末端部と接合される第２の部分と、を有する細長い本体を含む。物品を使用して、貼り付けられた窓用フィルムを窓枠に定着する方法も開示される。
2011506807.tif 000002
【特許請求の範囲】
【請求項１】
第１の取付け面を含む第１の部分と、
第２の取付け面を含む第２の部分と、
前記第１の部分と前記第２の部分との間に配置された接続部分とを有する本体を備える窓用フィルムを窓枠に固定するための取付け物品であって、
前記第１の部分が、前記第２の部分に向かって延在するとともに、前記第２の部分及び前記接続部分に対して間隔を空けて配置されたヒール部分を含み、更に、前記ヒール部分が、前記第１の取付け面の少なくとも一部分を含む、物品。
【請求項２】
前記第１の部分が、第１及び第２の縁部と、第１及び第２の末端部とを含み、かつ前記第１の取付け面が、前記第１と第２の縁部との間で前記第１の末端部から前記第２の末端部まで延在する、請求項１に記載の物品。
【請求項３】
前記第１の部分が、前記接続部分と連続している中央領域を含み、かつ前記ヒール部分が、前記中央領域から前記第１の部分の第２の縁部まで延在する、請求項２に記載の物品。
【請求項４】
前記第１の部分が、前記中央領域から前記第１の縁部まで延在するトゥ部分を更に含む、請求項３に記載の物品。
【請求項５】
前記ヒール部分が、前記接続部分から前記第１の部分の第２の縁部まで延在する、前記第１の取付け面とは反対側の裏面を含む、請求項４に記載の物品。
【請求項６】
前記第１の取付け面が第１の接着面を備える、請求項１に記載の物品。
【請求項７】
前記第１の接着面が両面接着テープによって提供される、請求項６に記載の物品。
【請求項８】
前記第２の部分が、第１及び第２の縁部と、第１及び第２の末端部とを含み、かつ前記第２の取付け面が、前記第１と第２の縁部との間で前記第１の末端部から前記第２の末端部まで延在する、請求項１に記載の物品。
【請求項９】
前記第２の取付け面が第２の接着面を備える、請求項８に記載の物品。
【請求項１０】
前記第２の接着面が両面接着テープによって提供される、請求項９に記載の物品。
【請求項１１】
前記第２の部分が、前記第１の縁部に隣接したトゥ部分と、前記接続部分と連続した前記トゥ部分から延在する中央領域と、前記中央領域から前記第２の縁部まで延在するヒール部分とを含む、請求項１０に記載の物品。
【請求項１２】
前記第１及び第２の取付け面が概ね平行な面内に位置する、請求項１に記載の物品。
【請求項１３】
前記第１及び第２の取付け面が概ね垂直な面内に位置する、請求項１に記載の物品。
【請求項１４】
前記本体が可撓性である、請求項１に記載の物品。
【請求項１５】
前記本体が細長く、かつ均一な断面を有する、請求項１に記載の物品。
【請求項１６】
前記本体が対称である、請求項１に記載の物品。
【請求項１７】
前記本体が一体構造を有する、請求項１に記載の物品。
【請求項１８】
（ａ）窓枠と、
（ｂ）前記窓枠内に配置された、相対する主表面を有するグレージングと、
（ｃ）前記グレージングの相対する主表面の少なくとも一つの上に配置された窓用フィルムと、
（ｄ）前記窓用フィルムの周辺の少なくとも一部分を前記窓枠に固定するための物品であって、第１の末端部及び第２の末端部と、前記窓枠及び前記窓用フィルムの少なくとも一方に接着剤で固着される第１の取付け面を有する第１の部分と、前記第１の取付け面とは反対側で前記第１の部分から外向きに延在する接続部分と、前記第１の部分とは反対側で前記接続部分の末端部と接合され、前記窓枠及び前記窓用フィルムの他方に接着剤で固着される第２の取付け面を有する第２の部分と、を有する細長い本体を備える物品と、を備える、耐衝撃性窓組立体。
【請求項１９】
前記物品が、両面接着テープ及び接着コーキング剤の少なくとも１つを用いて、前記窓枠及び前記窓用フィルムの少なくとも一方に固着される、請求項１８に記載の窓組立体。
【請求項２０】
第１の取付け面を有する第１の部分と、
前記第１の取付け面とは反対側で前記第１の部分の領域から外向きに延在する接続部分と、
前記第１の部分とは反対側で前記接続部分の末端部に接合される第２の部分と、を有する細長い本体を備える、窓用フィルムを窓枠に固定するための物品。
【発明の詳細な説明】
【技術分野】
【０００１】
本発明は、全体として、窓に関し、より詳細には、窓ガラスに貼り付けられた窓用フィルムを利用する耐衝撃性窓組立体に関する。
【背景技術】
【０００２】
窓用フィルムは、窓の耐衝撃性及び他の性質を向上させるため、一般に、通常の窓ガラスに、例えば商業建築物又は住居の既存の窓などに貼り付けられる。このような窓用フィルムは、３Ｍ社（3M Company）（ミネソタ州セントポール（St. Paul））から、商品名３Ｍスコッチシールド  ウルトラ・セーフティ・アンド・セキュリティ・ウィンドウ・フィルム（3M SCOTCHSHIELD Ultra Safety and Security window film）として市販されている。このような窓用フィルムは、例えば、ハリケーン及び地震などの自然現象並びに爆発及び「窓破り（smash-and-grab）」窃盗などの人為的事象に対する保護をもたらす。
【０００３】
窓用フィルムは窓ガラスに接着剤で固着され、窓用フィルムの縁部は、シリコーンシーラントを使用して窓枠に固定される。シリコーンシーラントは、窓用フィルムの縁部に沿って、又は窓枠の隣接した縁部分に沿って塗布される。窓ガラスに衝撃が加えられた場合、窓用フィルムは粉々になったガラスを所定の位置に保持する。即ち、ガラスの粉々になった破片は、一般に、衝撃の後、窓用フィルムに接着したままである。シリコーンシーラントは、同様に、窓用フィルム及び接着した粉々になったガラスを窓枠に保持する働きをする。窓の開口部内に粉々になったガラスを保持することによって、窓用フィルムは、飛散したガラスが建物の中に居る人々を負傷させる可能性を低減し、また、風や雨が構造物の内部に入り込み、損害を与えるのを防いでいる。
【０００４】
窓用フィルムを窓枠に固定するための物品は、従来技術において既知である。例えば、米国特許第５，９９２，１０７号（ポワリエ（Poirier））は、窓枠内で縁部にはめ込む安全窓用フィルムの方法及び装置を開示している。米国特許第６，９３１，７９９号（ウェッブ（Webb））は、枠内にはめ込まれ、窓用フィルムによって衝撃に対して保護された窓ガラスを固定する定着プロファイルを開示している。
【発明の概要】
【発明が解決しようとする課題】
【０００５】
当該業界は、改善された耐衝撃性の窓構造物、並びに窓用フィルムを窓枠によりしっかりと取り付けるための改善された物品及び方法を常に模索している。衝撃に対する改善された保護を提供し、コスト効率が良く、より迅速又は簡単に設置することができる、窓ガラスに貼り付けられた窓用フィルムを利用する改善された耐衝撃性の窓構造物が、継続的に必要とされている。本発明は、窓用フィルムを窓枠に固定するための改善された物品、並びに改善された衝撃性能（impact performance）を発揮する改善された耐衝撃性窓用フィルム組立体を提供する。
【課題を解決するための手段】
【０００６】
一実施形態では、本発明は、窓用フィルムを窓枠に固定するための取付け物品を提供する。取付け物品は、第１の取付け面を含む第１の部分と、第２の取付け面を含む第２の部分と、第１の部分と第２の部分との間に配置された接続部分とを有する本体を備えてもよい。第１の部分は、第２の部分に向かって延在するヒール部分を含んでもよく、かつこのヒール部分は、第２の部分及び接続部分に対して間隔を空けて配置されてもよい。加えて、ヒール部分は、第１の取付け面の少なくとも一部分を含んでもよい。
【０００７】
別の態様では、第１の部分は、第１及び第２の縁部と、第１及び第２の末端部とを含んでもよく、かつ第１の取付け面は、第１と第２の縁部との間で第１の末端部から第２の末端部まで延在してもよい。
【０００８】
別の態様では、第１の部分は、接続部分と連続している中央領域を含んでもよく、かつヒール部分は、中央領域から第１の部分の第２の縁部まで延在してもよい。別の態様では、第１の部分は、中央領域から第１の縁部まで延在するトゥ部分を含んでもよい。より具体的な態様では、ヒール部分は、接続部分から第１の部分の第２の縁部まで延在する、第１の取付け面とは反対側の裏面を含んでもよい。
【０００９】
一実施形態では、第１の取付け面は第１の接着面を備えてもよい。第１の接着面は、例えば、両面接着テープ、感圧性接着剤、コーキング剤、接着シーラントなどによって提供されてもよい。
【００１０】
別の実施形態では、第２の部分は、第１及び第２の縁部と、第１及び第２の末端部とを含んでもよく、かつ第２の取付け面は、第１と第２の縁部との間で第１の末端部から第２の末端部まで延在してもよい。第２の取付け面は、第２の接着面を備えてもよい。第２の接着面は、例えば、両面接着テープ、感圧性接着剤、コーキング剤、接着シーラントなどによって提供されてもよい。
【００１１】
より具体的な実施形態では、第２の部分は、第１の縁部に隣接したトゥ部分と、接続部分と連続したトゥ部分から延在する中央領域と、中央領域から第２の縁部まで延在するヒール部分とを含んでもよい。
【００１２】
一実施形態では、第１及び第２の取付け面は概ね平行な面内に位置してもよい。別の実施形態では、第１及び第２の取付け面は概ね垂直な面内に位置してもよい。
【００１３】
様々な態様において、本体が細長く、均一な断面を有し、対称であり、一体即ち単一構造を有し、及び／又は可撓性であって、エチレン−プロピレン−ジエンモノマー（ＥＰＤＭ）などのゴム材料で形成されてもよい。
【００１４】
別の態様では、本発明は、窓枠と、窓枠内に配置された、相対する主表面を有するグレージングと、グレージングの相対する主表面の少なくとも一つの上に配置された窓用フィルムと、窓用フィルムの周辺の少なくとも一部分を窓枠に固定するための物品とを備える、耐衝撃性窓組立体を提供する。物品は、第１の末端部及び第２の末端部と、窓枠及び窓用フィルムの少なくとも一方に接着剤で固着される第１の取付け面を有する第１の部分と、第１の取付け面とは反対側で第１の部分から外向きに延在する接続部分と、第１の部分とは反対側で接続部分の末端部と接合され、窓枠及び窓用フィルムの他方に接着剤で固着される第２の取付け面を有する第２の部分と、を有する細長い本体を備えてもよい。
【００１５】
更に別の態様では、本発明は、第１の取付け面を有する第１の部分と、第１の取付け面とは反対側で第１の部分の領域から外向きに延在する接続部分と、第１の部分とは反対側で接続部分の末端部に接合される第２の部分と、を有する細長い本体を備える、窓用フィルムを窓枠に固定するための物品を提供する。
【００１６】
本発明の特定の実施形態の利点としては、改善された耐衝撃性を有し、窓用フィルム及び窓枠にしっかりと固着し、簡単に製造でき、簡単に設置できるとともに不適当に設置しづらく、又は魅力的な外観を有する、窓用フィルムを窓枠に固定するための取付け物品を提供することが挙げられる。
【図面の簡単な説明】
【００１７】
本発明は、以下の添付図面を参照することで更に説明される。
【図１】本発明の１つの態様による、窓用フィルムを窓枠に固定するための取付け物品を包含する耐衝撃性窓組立体の正面図。
【図２】図１の線２−２に沿った断面図。
【図３ａ】図１及び２の取付け物品の詳細斜視図。
【図３ｂ】図３ａの線３ｂ−３ｂに沿った断面図。
【図４】本発明の代替実施形態による、取付け物品を含む用フィルム組立体の断面図。
【図５ａ】図４の取付け物品の詳細斜視図。
【図５ｂ】図５ａの線５ｂ−５ｂに沿った断面図。
【発明を実施するための形態】
【００１８】
ここで図面を参照すると（類似の参照数字は全体にわたって類似の又は対応する部分を指す）、図１及び２は、窓枠４と、窓枠４内に配置された１枚の窓ガラス若しくはグレージング６と、グレージング６の内側表面１０に貼り付けられた窓用フィルム８と、窓用フィルム８の周辺及び窓枠４の隣接した縁部に貼り付けられ、それによって窓用フィルム８を窓枠４に固定する取付け物品１２と、を一般に含む、耐衝撃性窓組立体２を示す。
【００１９】
内側ガスケット１４及び外側ガスケット１６（図２）はそれぞれ、グレージング６との密封を作り出すとともに、グレージング６を窓枠４内で固定するため、グレージング６の縁部と窓枠４との間に設けられる。図１及び２は、例えば、商業オフィスビルにおいて見られるような、商用窓組立体を表すものとする。
【００２０】
窓枠４は、木材、合成プラスチック材料、複合材料、又はアルミニウムなどの金属など、従来の材料から構築されてもよい。加えて、このような材料は、例えば、アクリル、ラテックス、若しくは油性の塗料で塗装されてもよく、又は、ウレタン、エポキシ、若しくはラッカーなどの他のコーティングを含んでもよい。グレージング６は、総称的に単一の１枚ガラスとして示されているが、グレージング６は、断熱ガラスユニット（insulated glass units）（ＩＧＵ）、積層ガラス、網入りガラス、又は他の窓ガラス構造物を含んでもよい。
【００２１】
グレージング６に貼り付けられた特定の窓用フィルム８は、所望の程度の耐衝撃性を窓組立体２にもたらす限り、本明細書に記載する発明にとって重要なものではない。好適な窓用フィルムとしては、例えば、ポリエステルなど、強靭な耐久性材料の１つ以上の層で形成された、耐パンク性又は耐引裂き性のフィルムが挙げられる。好適な窓用フィルムは、任意に、アクリル系耐磨耗性コーティング、紫外線を遮断するための紫外線吸収体、及び／又は日射熱取得率（solar heat gain）を低減するためのコーティングを含んでもよい。
【００２２】
好適な窓用フィルムは、例えば、米国特許第５，４２７，８４２号（ブランド（Bland）ら）、同第６，０４０，０６１号（ブランドら）、及び同第４，５４０，６２３号（イム（Im）ら）に記載されており、これらの内容全体を本明細書に組み込む。好適な窓用フィルムは、３Ｍ社（3M Company）（ミネソタ州セントポール（St. Paul））から、商品名スコッチシールド  ウルトラ・セーフティ・アンド・セキュリティ・ウィンドウ・フィルム（SCOTCHSHIELD Ultra Safety and Security Window Films）として市販されている。具体的なスコッチシールド  ウルトラ・セーフティ・アンド・セキュリティ・ウィンドウ・フィルム（SCOTCHSHIELD Ultra Safety and Security Window Films）は、ＳＨ１４ＣＬＡＲＬ窓用フィルムである。この窓用フィルムは、日射熱取得率（solar heat gain）を低減するため、日射制御機能を更に備えてもよい。
【００２３】
窓用フィルム８は、当業者には既知の方法で、グレージング６の内側表面に接着可能に固着される。窓用フィルム８はグレージング６に接着可能に固着されるので、グレージング６が割れた場合、粉々になったガラスは、一般に、窓用フィルム８に接着したままである。
【００２４】
図１に示されるように、取付け物品１２は、窓用フィルム８の周辺の少なくとも一部分に沿って窓用フィルム８の縁部部分に、又は窓枠４の隣接した縁部部分に貼り付けられてもよい。取付け部品１２は、窓用フィルム８及び窓枠４の両方に固着し、それによって窓用フィルム８を窓枠４に固着するようにして貼り付けられる。このようにして取付け物品１２を取り付けることによって、衝撃があった場合に、取付け物品１２が、窓用フィルム８を窓枠４に定着する働きをする強力な固着を形成するので、窓用フィルム８に付着した粉々になった窓ガラスを貼り付けた窓用フィルム８が、窓の開口部内の所定の位置に留まる。
【００２５】
窓枠４と窓用フィルム８との間で好適なしっかりとした固着を形成するため、取付け物品１２がそれぞれ、窓枠４及び窓用フィルム８の両方とのしっかりとした固着を形成できることが望ましい。加えて、取付け部品１２は、一般に、それを目的として設計された衝撃に伴う力に耐えるように、適切な粘着力を有するようになる。
【００２６】
また、取付け物品１２は、熱劣化及び紫外線分解に対する耐性、洗浄溶媒及び洗浄液に対する耐性、並びにグレージングガスケット若しくはフレームの材料中に存在することがある可塑剤又は他の添加剤に対する耐性を包含する、好適な環境耐久性を有することが望ましい。取付け物品１２の他の望ましい性質としては、光沢、白亜化しないこと、及び全体の外観など、所望の美観的性質が挙げられる。
【００２７】
図３ａ及び３ｂに示されるように、取付け物品１２は、第１の末端部２０ａと、第２の末端部２０ｂとを有する細長い本体２０を含む。細長い本体２０は、第１の末端部２０ａから第２の末端部２０ｂまでそれぞれ延在する、第１の部分２２と、接続部分２４と、第２の部分２６と、を含む。図示される実施形態では、取付け物品１２は一体即ち単一構造を有するが、組み立てられた２つ又はそれ以上の個片で構築されてもよく、あるいは、機能性を付加するため、共押出し成形されてもよい。
【００２８】
細長い本体２０は可撓性であってもよい。細長い本体２０に適した材料としては、エラストマー、熱可塑性及び熱硬化性ポリマー、発泡体、例えば充填剤又は強化繊維を更に含むような材料の複合材料、並びにそれらの積層体及び組み合わせなどの、エネルギー散逸材料（energy dissipating materials）が挙げられる。特に適した材料は、例えば、エチレン−プロピレン−ジエンモノマー（ＥＰＤＭ）などのゴムである。細長い本体２０はまた、非可撓性であって、合成プラスチック材料、木材、又は金属などの材料で形成されてもよい。
【００２９】
図示される実施形態では、細長い本体２０は均一な断面を有する。即ち、細長い本体２０の断面は、その縦軸の長さに沿って変化しない。細長い本体２０は、所定の長さを有する別個のセグメントの形態で、又は所望の長さを有する取付け物品１２をそこから切り出すことができる連続した長さの形態（例えば、ロールの形態）で提供されてもよい。別個のセグメントは、例えば、２．５４ｃｍ（１インチ）〜１５．２ｃｍ（６インチ）又はそれ以上に及ぶ長手方向寸法を有してもよい。そのような別個のセグメントは、窓組立体２の選択された場所に配置され、それによって窓用フィルム８の周辺を窓枠４に固定してもよい。あるいは、図１に示されるように、細長い本体２０は、連続した長さから、取付け物品１２を窓枠４に隣接した窓用フィルム８の周辺全体に沿って貼り付けることができる適当な長さに切断されてもよい。
【００３０】
細長い本体２０の第１の部分２２は、第１の縁部２２ａと、第２の縁部２２ｂと、第１の末端部２２ｃと、第２の末端部２２ｄと、第１の縁部２２ａと第２の縁部２２ｂとの間で第１の末端部２２ｃから第２の末端部２２ｄまで延在する第１の取付け面２２ｅと、を含む。
【００３１】
次に、第１の部分２２について詳細に説明する。図示される実施形態における第２の部分２６は、第１の部分２２と同一なので、第２の部分２６についての説明は繰り返さず、以下の説明は、第１の部分２２及び第２の部分２６の両方に言及するものと理解されるものとする。
【００３２】
図３ｂを参照すると、第１の部分２２は、第１の縁部２２ａに隣接した任意のトゥ部分２２ｆと、接続部分２４と連続してトゥ部分２２ｆから延在する中央領域２２ｇと、中央領域２２ｇから第２の縁部２２ｂまで延在するヒール部分２２ｈと、を含んでもよい。接続部分２４は、第１の部分２２から外向きに、第１の取付け面２２ｅとは反対側の方向で第２の部分２６に向かって延在する。第２の部分２６は、第１の部分２２とは反対側で接続部分２４の末端部と接合される。
【００３３】
図示される実施形態では、トゥ部分２２ｆは、第１の部分２２の第１の縁部２２ａから接続部分２４まで延在する、第１の取付け面２２ｅとは反対側の裏面２２ｆ’を含む。ヒール部分２２ｈは、接続部分２４から第１の部分２２の第２の縁部２２ｂまで延在する、第１の取付け面２２ｅとは反対側の裏面２２ｈ’を含む。このようにして、接続部分２４は、第１の縁部２２ａと第２の縁部２２ｂの中間の領域で、又はトゥ部分の裏面２２ｆ’とヒール部分の裏面２２ｈ’との間で第１の部分２２に接している。即ち、接続部分２４は、第１の部分２２の中央領域２２ｇに接しており、中央領域２２ｇから反対方向で外向きに延在するトゥ部分２２ｆ及びヒール部分２２ｈは、中央領域２２ｇには接していない。別の実施形態では、トゥ部分２２ｆが省略され、それによって第１の部分２２がヒール部分２２ｈのみを含んでもよい。
【００３４】
理論によって束縛されることを望まないが、接続部分２４を、第１の部分２２のヒール部分２２ｈではなく第１の部分２２の中央領域２２ｇに接するようにすることによって、グレージング６に衝撃が加わった場合に取付け物品１２の第１の部分２２にかかる力は、剪断力及び／又は張力の形態であり、剥離力の形態ではないと考えられる。接着剤による固着は、一般に、剥離力よりも剪断力及び／又は張力に良好に耐えることができるので、取付け物品１２は、一般に、グレージング６に対するより大きな衝撃力に耐えることができる。即ち、取付け物品１２の形状により、また、その形状が細長い本体２０の第１の部分２２に剪断力及び／又は張力を付与できることにより、取付け物品１２は、グレージング６／窓用フィルム８ユニットを窓枠４に対してよりしっかりと取り付けることができる。
【００３５】
換言すると、取付け物品１２は、窓枠４に隣接した前縁と、前縁から離れた後縁とを有する表面を含む。この表面はボンドライン（bond line）を有する取付け面２２ｅを含む。取付け物品１２の幾何学形状により、ボンドライン（bond line）の前縁においては生じない、窓枠４に対する荷重接続点（load bearing connection point）が作られる。即ち、荷重接続点（load bearing connection point）は、後縁の方向で取付け面の前縁からずれているので、力は、前縁と後縁との間の領域で取付け面に向けられる。このようにして、取付け物品１２が負荷を受けたとき、取付け面２２ｅに掛かる力は取付け面の前縁では生じない。結果として、取付け面２２ｅに掛かる力は剥離力ではなく張力である。
【００３６】
図示される実施形態では、第１の部分２２は、第１の縁部２２ａに隣接した側板部分２２ｉを含む。側板部分２２ｉは、取付け面２２ｅの面を越えて延在し、それによって、これがなければ露出するであろう接着面２８の縁部を隠す働きをする。このようにして、側板２２ｉは、隣接した表面とのより洗練され美観上魅力的な取付け境界面を作り出す。
【００３７】
図示される実施形態では、取付け物品１２は対称的なプロファイルを有する。即ち、図３ｂに示される断面図は対称的であり、第１の部分２２及び第２の部分２６は同一である。対称的なプロファイルの利点は、取付け物品１２が上下逆又は表裏逆に設置される可能性がないことである。即ち、エンドユーザーがどのようにして取付け物品１２を窓組立体２に貼り付けるかに関わらず、取付け物品１２は正しい向きになる。
【００３８】
図示される実施形態では、取付け物品１２の第１の部分２２及び第２の部分２６は両方とも、それぞれヒール部分２２ｈ、２６ｈを含む。即ち、図３ａ及び３ｂを参照すると、第２の部分２６は、第２の部分２６が接続部分２４と接合される領域を越えて延在する、ヒール部分２２ｈに類似したヒール部分２６ｈを含んでもよい。
【００３９】
第１の部分２２及び第２の部分２６の両方にヒール部分２２ｈ、２６ｈを設けることによって、取付け物品１２の全体的な性能が改善されてもよい。加えて、第１の部分２２及び第２の部分２６にヒール部分２２ｈ、２６ｈを設けることによって、第１の部分２２が窓枠４に付着され、第２の部分２６が窓用フィルム８に付着されるか、あるいはその逆であるかに関わらず、ヒール部分によってもたらされる性能の効果（即ち、上述したように、剥離の形ではなく剪断及び／又は張力の形で、グレージング６に対する衝撃によって発生する力に耐えるという取付け物品１２の能力）が達成される。
【００４０】
こうして、取付け物品１２を対称的にすることによって、又は少なくとも第１の部分２２及び第２の部分２６の両方にヒール部分２２ｈ、２６ｈを設けることによって、エンドユーザーが取付け物品１２を不適当に設置する可能性が低減されてもよい。
【００４１】
図示される実施形態では、第１の部分２２及び第２の部分２６は、接着面２８を備える取付け面２２ｅ、２６ｅを含む。接着面２８は、例えば、第１の取付け面２２ｅ及び／又は第２の取付け面２６ｅ上に直接コーティングされた、両面接着テープ、感圧性接着剤、ホットメルト、あるいは加熱活性化接着剤によって提供されてもよい。
【００４２】
好適な両面接着テープは、３Ｍ社（3M Company）（ミネソタ州セントポール（St. Paul））から商品名３Ｍ  ＶＨＢアクリル発泡体テープとして入手可能なアクリル発泡体テープなどの、アクリル発泡体テープである。両面接着テープは、第１の取付け面２２ｅ及び／又は第２の取付け面２６ｅに予め取り付けられてもよく、あるいは、両面接着テープは、別個に提供され、窓用フィルム８を窓枠４に固定するのに取付け物品１２が使用されるときに、第１の取付け面２２ｅ及び／又は第２の取付け面２６ｅに貼り付けられてもよい。
【００４３】
第１の取付け面２２ｅ及び／又は第２の取付け面２６ｅはまた、例えば、グルー、接着コーキング剤、及びシーラントなどを使用して、又は熱接合によって、窓用フィルム８及び窓枠４に接着剤で固着されてもよい。好適なシーラントとしては、例えば、ダウ・コーニング９９５シリコーン構造用シーラント（Dow Corning 995 Silicone Structural Sealant）などのシリコーンベースのシーラント、３Ｍ船舶用接着シーラント・ファスト・キュア４０００  ＵＶ（3M Marine Adhesive Sealant Fast Cure 4000 UV）（品番０６５８０、３Ｍ＃６０−９８００−４２８８−５）などのポリエーテルベースのシーラント、又は、３Ｍ自動車ガラス用ウレタン風防ガラス接着剤（中粘度）（3M Auto Glass Urethane Windshield Adhesive - Medium Viscosity）（品番０８６９３、３Ｍ＃６０−９８００−２４０５−７）などのウレタン系シーラントが挙げられる。
【００４４】
図２に示されるように、取付け物品１２と窓枠４及び窓用フィルム８のそれぞれの表面との間の固着を更に向上させ、それによって窓組立体２の耐衝撃性を更に向上させるため、取付け物品１２と窓用フィルム８との間の間隙３０は当該シーラントで所望により充填されてもよい。
【００４５】
特定の実施形態では、接着面２８は、少なくとも約０．３２ｃｍ（１／８インチ）又は少なくとも約０．６４ｃｍ（１／４インチ）から、約２．５４ｃｍ（１インチ）以下又は約１．９１ｃｍ（３／４インチ）以下までの縁部間寸法（即ち、第１の縁部２２ａから第２の縁部２２ｂまで、及び第１の縁部２６ａから第２の縁部２６ｂまで）を有してもよい。
【００４６】
図１〜３に示される実施形態では、第１の部分２２及び第２の部分２６は９０°の角度を形成するように配置されるので、第１の取付け面２２ｅ及び第２の取付け面２６ｅは概ね垂直な面内に位置する。この構成は、窓枠４が、取付け物品１２を固着してもよい窓用フィルム８に対して９０°の角度で配置された平坦なレッジを含む、図２に示されるような構成などの用途に有用である。この構成は商業建築物において一般的である。
【００４７】
次に、図４及び５を参照すると、図１〜３に示されるものと機能的に類似した特徴は、同様の参照数字に１００を足したもので示されており、窓枠１０４と、窓枠１０４内に配置された１枚の窓ガラス若しくはグレージング１０６と、グレージング１０６の内側表面１１０に貼り付けられた窓用フィルム１０８と、窓用フィルム１０８を窓枠１０４に固定するための取付け物品１１２の代替実施形態とを一般に包含する、耐衝撃性窓組立体１０２が示される。図４及び５は、例えば家庭において見られるような、住居用窓組立体を表すものとする。取付け物品１１２を以下により詳細に説明するが、１つの態様では、図４及び５に示される取付け物品１１２は、接着面１２８が同じ方向に向き、概ね平行な面内に配置されているという点で、図１〜３に示される取付け物品１２と異なる。
【００４８】
図５ａ及び５ｂに示されるように、取付け物品１１２は、第１の末端部１２０ａと、第２の末端部１２０ｂと、第１の末端部１２０ａから第２の末端部１２０ｂまでそれぞれ延在する、第１の部分１２２と、接続部分１２４と、第２の部分１２６と、を有する細長い本体１２０を含む。
【００４９】
第１の部分１２２は、図１〜３に示される第１の部分２２と類似しており、第１の縁部１２２ａと、第２の縁部１２２ｂと、第１の末端部１２２ｃと、第２の末端部１２２ｄと、第１の縁部１２２ａと第２の縁部１２２ｂとの間で第１の末端部１２２ｃから第２の末端部１２２ｄまで延在する第１の取付け面１２２ｅと、を含む。
【００５０】
図５ｂを参照すると、第１の部分１２２は、第１の縁部１２２ａに隣接した任意のトゥ部分１２２ｆと、接続部分１２４と連続してトゥ部分１２２ｆから延在する中央領域１２２ｇと、中央領域１２２ｇから第２の縁部１２２ｂまで延在するヒール部分１２２ｈと、を含む。接続部分１２４は、第１の取付け面１２２ｅとは概ね反対側で第１の部分１２２から外向きに延在し、第２の部分１２６は、第１の部分１２２とは反対側で接続部分１２４の末端部と接合される。
【００５１】
図示される実施形態では、トゥ部分１２２ｆは、第１の部分１２２の第１の縁部１２２ａから接続部分１２４まで延在する、第１の取付け面１２２ｅとは反対側の裏面１２２ｆ’を含む。ヒール部分１２２ｈは、接続部分１２４から第１の部分１２２の第２の縁部１２２ｂまで延在する、第１の取付け面１２２ｅとは反対側の裏面１２２ｈ’を含む。このようにして、接続部分１２４は、第１の縁部１２２ａと第２の縁部１２２ｂとの中間の領域で、又はトゥ部分の裏面１２２ｆ’とヒール部分の裏面１２２ｈ’との間で第１の部分１２２に接している。即ち、接続部分１２４は、第１の部分１２２の中央領域１２２ｇに接しており、中央領域１２２ｇから反対方向で外向きに延在するトゥ部分１２２ｆ及びヒール部分１２２ｈは、中央領域１２２ｇに接していない。別の実施形態では、トゥ部分１２２ｆが省略され、それによって第１の部分１２２がヒール部分１２２ｆのみを含んでもよい。
【００５２】
取付け物品１１２に、トゥ部分１２２ｆと、中央領域１２２ｇと、ヒール部分１２２ｈとを備えた第１の部分１２２を設けることによって、取付け物品１１２は、グレージング１０６に対する衝撃力により良好に耐えることができ、またそれによって、グレージング１０６／窓用フィルム１０８ユニットが窓枠１０４に対してよりしっかりと取り付けられることが見出されている。
【００５３】
図５ａに示されるように、第２の部分１２６は、接続部分１２４から、第１の部分１２２からずれた位置まで延在し、第１の縁部１２６ａと、第１の末端部１２６ｃと、第２の末端部１２６ｄと、第１の縁部１２６ａと接続部分１２４との間で第１の末端部１２６ｃから第２の末端部１２６ｄまで延在する第２の取付け面１２６ｅと、を含む。
【００５４】
第１の取付け面１２２ｅ及び第２の取付け面１２６ｅは、図１〜３を参照して上述したものと類似のものであってもよい接着面１２８を備える。図４及び５に示される実施形態では、接着面１２８は同じ方向に向き、ずれた概ね平行な面内に位置する。この構成は、窓枠１０４の幅が狭く、窓枠１０４の側面がグレージング１０６に概ね平行な取付け面となり、それによって、窓用フィルム１０８が、図２に示されるように窓枠のレッジに固定するよりも、窓枠１０４の側面により簡単に固定される、図４に示される構成などの用途に有用である。
【００５５】
この構成は、住居用の窓構造物において一般的である。この構成では、取付け物品１１２の第１の部分１２２は窓用フィルム１０８に固着され、取付け物品１１２の第２の部分１２６は窓枠１０４の側面に固着される。そのような構成は、（剥離の形ではなく）剪断又は張力の形で窓に対する衝撃によって発生する力に耐えることができ、それによって、窓組立体の耐衝撃性を増加させる、また、目立たない薄いプロファイルを有し、したがってより美観上魅力的な、住居用窓組立体のための取付けメカニズムを提供する。
【００５６】
取付け物品１１２と窓枠１０４及び窓用フィルム１０８のそれぞれの表面との間の固着を更に向上させ、それによって窓組立体１０２の耐衝撃性を更に向上させるため、取付け物品１１２と窓用フィルム１０８との間の間隙１３０は、図２を参照して上述したようなシーラントで所望により充填されてもよい。
【００５７】
当業者であれば、本発明の概念から逸脱することなく、上述した本発明を様々に変更及び修正できることを理解されよう。例えば、取付け物品は、本明細書にて上述したものとは異なる窓組立体の角度に一致する取付け面を有するように修正されてもよい。それに加えて、窓組立体の角部における取付け物品の設置を容易にするため、取付け物品は、例えば、９０°の角用の個片の形態で製作されてもよい。このように、本発明の範囲は、本出願に記載の構造に限定すべきではなく、特許請求の範囲の文言によって説明される構造物及びそれらの同等物によってのみ限定されるものである。
【図１】
2011506807.tif 000003
【図２】
2011506807.tif 000004
【図３ａ】
2011506807.tif 000005
【図３ｂ】
2011506807.tif 000006
【図４】
2011506807.tif 000007
【図５ａ】
2011506807.tif 000008
【図５ｂ】
2011506807.tif 000009
【国際調査報告】
2011506807.tif 000010
2011506807.tif 000011